(57)【要約】【課題】内副管の設置が可能なサイズのマンホールにおいては内部作業スペースをより広く、そして、サイズ上から設置が不可能とされたマンホールにも作業スペースに問題無く使用することができるように改良された特に円形マンホールに有効で、しかも、地震等によって損傷することがない耐震化構造により流入管との接続を可能とした内副管を提供する。【解決手段】流入管３に接続される継手管部１と、この継手管部１からマンホールＢの底部B-1方向に垂設される流下管部２とで構成され、継手管部１は、マンホールＢの削孔５内において上記流入管３に継手構造を介して接続される接続口1-1を備えると共に上記流下管部２の流下口1-2を備える。そして、流下管部２は、マンホールＢの内面形状に沿う平面視略横長扁平状に形成されている。【選択図】図１
2006045816.tif 000002
【特許請求の範囲】
【請求項１】
地表勾配に応じて間隔をおいて設置されると共に、流入管、流出管によって段差接合されるマンホールにおける内副管において、
継手管部と、この継手管部からマンホールの底部方向に垂設される流下管部とで構成され、
上記継手管部は、マンホールの削孔内において上記流入管に継手構造にて接続される接続口を備えると共に上記流下管部の流下口を備え、
上記流下管部は、少なくともマンホールの内面形状に沿う平面視略横長扁平状に形成されていることを特徴とするマンホール用内副管。
【請求項２】
請求項１に記載の流下管部の開口断面積が、流入管の開口断面積の１／２以上に形成され、管内には流下する下水等の勢いを減衰するための落下吸収手段が備えられていることを特徴とするマンホール用内副管。
【請求項３】
上記継手構造は、軸方向に押し込むことで同軸方向に折り返すことができる可撓性を有するゴムソケットの一端側を、マンホールの削孔内に位置させた流入管の管口外側に嵌着固定し、同ソケットの他端側を、流入管の外径より大径で前記削孔の内径より小径な継手管部の接続口外側に嵌着固定し、然る後、前記接続口を前記流入管の外周面と削孔の内周面との間に押し込んで前記ゴムソケットを軸方向に折返し反転させた状態で充填部材を注入して連結固定せしめてなることを特徴とする請求項１又は２に記載のマンホール用内副管。
【発明の詳細な説明】
【技術分野】
【０００１】
本発明は、流入管から流下する下水等の急激な落下によるマンホール（組立人孔及び現場打ち人孔）底部の洗堀防止（磨耗防止）及び下水等の飛散防止を図る目的で、マンホール内に取り付けられる内副管に関する。
【背景技術】
【０００２】
地表勾配に応じて上流側の流入管と下流側の流出管とによって段差接合されるマンホールにおいては、流入管と流出管との落差が例えば60cm以上ある場合には流入管から流下する下水等の急激な落下によって、下水が飛散すると共に、マンホールの底部が洗堀されることを防止することを目的とし、副管がマンホールに取り付けられている。
そして、副管には、外付け設置型と内付け設置型とがあり、マンホールの大きさ等の現場の施工スペース等の都合上で使い分けられている。
一方、マンホールは、点検及び清掃等の維持管理上や地表勾配等に合せて必要な箇所に設置間隔をおいて構築されるものであり、また、下水量や起点、中間点、会合点等の設置箇所に応じた内径寸法のものが構築されるようになっている。そして、円形タイプと角形タイプがある。
因みに、現在知られている円形マンホールの内径寸法は、１号マンホールと称されているもので900mm、２号マンホールで1200mm、３号マンホールで1500mm等である。
【０００３】
ところで、外付け設置型は、上流側の流入管が接続されるマンホールの外側に副管の設置と作業スペースを確保するために広い範囲を掘り起さなければならず、面倒で手間が掛かり等、工事が大規模となる。
また、外付け設置型は、流入管を設置する時に、これと同時に設置する必要があることやメンテナンスの容易性、破損して補修を行う場合、工事が大掛かりになってしまうこと等から、マンホールの内側での設置が可能な内付け設置型が有利である。この内付け設置型の副管構造及び設置・接続構造としては従来から種々提案され、知られている（特許文献１）。
【０００４】
特許文献１に開示されている副管構造は、マンホールの壁部と当接する一側部に同壁部の削孔の内径よりも大径とする流入口を備え、下端部には流出口を備えてなる継手と、この継手の流出口からマンホールの底部に向けて垂設される直管とからなり、該直管の管径は流入管の１／２以上で円形を呈している。一般に、流下管の内径がφ150mmで、流入管の内径がφ200mmの場合が多い。
【０００５】
しかし乍ら、図１に示すように、マンホールの壁部内面には、点検及び清掃等の維持管理作業のために昇降用の足掛け杆が梯子状に入口から底部近傍に向けて設けられており、この足掛け杆の出っ張りに加えて内副管の出っ張りが加わり、結果として、マンホール内の作業スペースは狭くなり、維持管理作業に支障を来たすこととなる。
従って、特許文献１に開示されている内副管構造では、例えば内径が1200mmサイズの２号マンホール以上でなければ設置することができないと言ったマンホールのサイズが限定されると言う問題がある。
【０００６】
【特許文献１】特許第３４４３１１８号公報
【発明の開示】
【発明が解決しようとする課題】
【０００７】
本発明が解決しようとする課題は、内副管の設置が可能なサイズのマンホールにおいては内部作業スペースをより広く、そして、サイズ上から設置が不可能とされたマンホールにも作業スペースに問題無く使用することができるように改良された特に円形マンホールに有効で、しかも、地震等によって損傷することがない耐震化構造により流入管との接続を可能とした内副管を提供することにある。
【課題を解決するための手段】
【０００８】
上記課題を解決するために本発明は、請求項１では、地表勾配に応じて間隔をおいて設置されると共に、流入管、流出管によって段差接合されるマンホールにおける内副管において、
流入管に接続される継手管部と、この継手管部からマンホールの底部方向に垂設される流下管部とで構成され、
上記継手管部は、マンホールの削孔内において上記流入管に継手構造を介して接続される接続口を備えると共に上記流下管部の流下口を備え、上記流下管部は、少なくともマンホールの内面形状に沿う平面視略横長扁平状に形成されていることを特徴とするマンホール用内副管にある。
【０００９】
上記継手管部と流下管部とを一体に形成又は別途に形成し、施工現場において流下管部を継手管部の流下口に接続するようにするも良い。
そして、上記流下管部の短辺幅寸法としては、マンホールの壁部内面に梯子状に備えられる足掛け杆の出っ張り高さ以下にすることが好適なものとなる。
また、上記流下管部の開口断面積を、流入管の開口断面積の１／２以上に形成すると共に、流下管部の管内には流下する下水等の勢いを減衰するための落下吸収手段を備えることが好適なものとなる（請求項２）。
ここで、落下吸収手段の一例を挙げるならば、管内の上下方向に適宜の間隔をおいて両側短辺壁面から右下がり、左下がりのように下水受け板を交互に備える階段状に形成することができる。
【００１０】
また、本発明では、上記に記載の継手構造が、軸方向に押し込むことで同軸方向に折り返すことができる可撓性を有するゴムソケットの一端側を、マンホール壁部の削孔内に位置させた流入管の管口外側に嵌着固定し、同ソケットの他端側を、流入管の外径より大径で前記削孔の内径より小径な継手管部の接続口外側に嵌着固定する。然る後に、前記接続口を前記流入管の外周面と削孔の内周面との間に押し込んで前記ゴムソケットを軸方向に折返し反転させた状態で、削孔の内周面と接続口の外周面との間、そして、接続口の内周面と流入管の管口外周面との間に充填部材を注入充填して連結固定する（請求項３）。
そして、上記削孔の内周面と接続口の外周面との間に充填する充填部材としては樹脂系シール材、モルタル、樹脂系モルタル等の連結材が挙げられ、上記接続口の内周面と流入管の管口外周面との間に充填する充填部材としては、発泡ウレタン又は発泡スチロール等の緩衝材が挙げられる。
【発明の効果】
【００１１】
本発明の内副管は、請求項１では、流入管に継手管部を介して接続されて、マンホールの底部方向に垂設される流下管部を、マンホールの内面に面接触状態にて沿う壁面を有する平面視略横長扁平形状としてなることで、マンホールの内面から出っ張り高さは、従来の内副管構造（特許第３４４３１１８号）に比べてかなり低く抑えることができる。
従って、内副管の設置が可能であるマンホールサイズ、例えば内径が1200mm及び1500mmサイズのマンホールにおいては維持管理作業等の作業スペースをより広くすることができる。更には外付け設置型でなけば設置が不可能とされていた内径が900mmサイズの１号マンホールへの取付け設置をも可能となる等、汎用性の高い内副管を提供することができる。
また、外付け設置型でなけば設置が不可能とされていた流入管が複数あるマンホールへの内付け設置が可能になる。
【００１２】
また、請求項２記載の構成により、請求項１記載の作用に加えて、流入管から流入される下水等を速やかにマンホールの底部側への流下させることができ、しかも、垂下管部内を流下する下水等の勢いは同管内の落下吸収手段によって減衰されてマンホールの底部に流下される。つまり、マンホール底部の洗堀防止（磨耗防止）及び下水等のマンホール内への飛散防止をも図ることができる。
【００１３】
そして、請求項３記載の構成により、請求項１記載の作用に加えて、流入管と継手管部の接続口はゴムソケットで連結されるため可撓性が保持される。これによって、地震や地盤の不等沈下による地盤の変動に対して追随し、水密性の維持とマンホール（削孔）及び流入管の破損とを防ぐ耐震化構造にて内副管を取付け設置することができる。
【発明を実施するための最良の形態】
【００１４】
本発明の最良の実施形態を図１〜図５に基づいて説明する。
【実施例１】
【００１５】
図１は、本発明の内副管Ａを円形マンホールＢに取り付けた状態の実施形態の一例を示す。
内副管Ａは、流入管３に接続される継手管部１と、この継手管部１からマンホールＢの底部（インバート）B-1方向に壁部B-2内面に沿わされて垂設される流下管部２とで構成され、上流側の流入管３から流入される下水等をマンホールＢの底部B-1へと流下管部２内から流下させるようにしている。
図中４は、所定の段差でマンホールＢに接続される下流側の流出管である。
【００１６】
継手管部１は、マンホールＢの削孔５の内径よりも小径で流入管３の外径よりも大径とするスリーブリング状に形成され、その一端側に流入管３の管口に後述する継手構造を用いて接続される接続口1-1を備え、それと反対側の他端側には点検口1-3を備えると共に、該点検口1-3の開口に沿わせたリング部の円形下半部側には流下管部２が連結される下向き開口で平面視略横長扁平状の流下口1-2を備えている。
図中６は、点検口を必要に応じて閉鎖する点検蓋である。
【００１７】
上記流下口1-2は、流入管３から流入されてくる下水等を流下管部２へと流下誘導する役目を成し、マンホールＢの壁部B-2と対面する長辺一側口壁1-20を同壁部B-2内面に沿わせた平面視円形状に形成して、該壁部B-2内面に面接触状態で沿わせられるようにしている。
【００１８】
流下管部２は、マンホールＢの削孔５の開口高さ位置から底部B-1に至る長さで、平面視が上記流入口1-2の開口形状と同径とする長辺一側壁2-1を壁部B-2内面に沿わせた円形状の平面視略横長扁平状に形成されている。
そして、流下管部２は、その開口断面積を、流入管３の開口断面積の１／２以上に形成して、継手管部１の流下口1-2に接続され、マンホールＢの壁部B-1内面に面接触状態で沿わされた状態でマンホールＢの底部B-1方向に垂設されるようにしている。
【００１９】
また、この流下管部２の短辺幅寸法Ｌを、マンホールＢの壁部B-2内面に、その出入り口７から底部B-1近傍に向けて梯子状に備えられる足掛け杆８の出っ張り高さＬ1以下に形成すると共に、管内には流下する下水等の勢いを減衰するための落下吸収手段が備えられている。
【００２０】
上記落下吸収手段としては、下水等の流下勢いを減衰することができる構造であれば特に限定されるものではないが、本例では図４及び図５に示したように、流下管部２の管内の上下方向に適宜の間隔をおいて両側短辺壁面から右下がり、左下がりのように下水受け板９を交互に備える階段状に形成している。
【００２１】
継手管部１の接続口1-1を流入管３の管口に接続するための継手構造は、本願出願人による特開２００３−１０５７８８号、特開２００３−２３２０４８号等に開示されている構成のものを用いることができる。
即ち、図２及び図３に示すように、軸方向に押し込むことで同軸方向に折り返すことができる可撓性を有するゴムソケット10の一端側を、マンホールＢの削孔５内に位置させた流入管３の管口外側に締付バンド11で嵌着固定し、同ソケット10の他端側を、流入管３の外径より大径で前記削孔５の内径より小径な継手管部１の接続口1-1外側に締付バンド12で嵌着固定する。
然る後に、前記接続口1-1を前記流入管３の外周面と削孔５の内周面との間に押し込んで前記ゴムソケット10を軸方向に折返し反転させた状態で、削孔５の内周面と接続口1-1の外周面との間に、樹脂系シール材、モルタル、樹脂系モルタル等からなる連結材13を注入充填せしめて、継手管部１の接続口1-1の外周面をマンホールＢの削孔５の内周面に連結固定する。
そして、接続口1-1の内周面と流入管３の管口外周面との間に、発泡ウレタン又は発泡スチロール等からなる緩衝材14を注入充填せしめて、接続口1-1の内周面を流入管３の管口外周面に連結固定するものである。
【００２２】
尚、上記実施例１では、継手管部１の流下口1-2の口壁1-20及び流下管部２の長辺一側壁2-1をマンホールＢの壁部B-2の内面に対して必ずしも面接触状態で沿わせる必要がなく、若干の隙間が生じても良い。
【００２３】
また、本発明の具体的な実施例にあっては、前述の各実施例１構成に限定されるものではなく、請求項１〜３記載の要旨を免脱しない範囲で種々変更して行うことができるものである。
【図面の簡単な説明】
【００２４】
【図１】本発明内副管をマンホールに取付け設置せしめた状態の実施形態の一例を示す縦断面図
【図２】同要部の拡大断面図
【図３】同横断平面図
【図４】内副管の正面図
【図５】内副管の斜視図
【符号の説明】
【００２５】
Ａ：内副管       １：継手管
1-1：接続口      1-2：流下口
２：流下管部      ３：流入管
４：流出管        ５：削孔
８：足掛け杆      ９：下水受け板（落下吸収手段）
10：ゴムソケット（継手構造）
【図１】
2006045816.tif 000003
【図２】
2006045816.tif 000004
【図３】
2006045816.tif 000005
【図４】
2006045816.tif 000006
【図５】
2006045816.tif 000007